(57)【要約】【課題】  従来、遠方操作型給電制御装置の取り外し作業の際には、活線作業を１線ずつ行うための無停電バイパス工具という特殊な工具が必要とされた。【解決手段】  電源端子３３ａ，３３ｂおよび負荷端子３３ｃ，３３ｄは電力量計２１の各電源端子１Ｓ，２Ｓおよび各負荷端子１Ｌ，２Ｌと同じ配列で設けられているため、接続電線は電力量計の各電源端子１Ｓ，２Ｓおよび各負荷端子１Ｌ，２Ｌに接続されていた場合と同様な配列で整列される。このため、電力量計２１の各電源端子１Ｓ，２Ｓおよび各負荷端子１Ｌ，２Ｌと同じ配列で押切ねじ４６ａ〜４６ｄが配列され、この押切ねじ４６ａ〜４６ｄで接続電線の被覆を破って全ての接続電線を一括でバイパス接続することが出来る、汎用的な無停電取替工具４５を使用し、遠方操作型給電制御装置２０を電力量計２１に取り付けたり、取り外すことが可能になる。【選択図】  図８
2009136144.tif 000002
【特許請求の範囲】
【請求項１】
電力量計の負荷側への給電を断続する開閉器と、この開閉器の開閉を制御する制御回路と、無線信号を受信すると前記開閉器を閉じる信号を前記制御回路へ出力する遠方操作信号受信器とからなる遠方操作型給電制御装置において、
前記開閉器および前記制御回路を収容する筐体と、この筐体から突出して設けられ前記電力量計の各電源端子および各負荷端子の端子孔に挿入される棒状端子と、前記電力量計の各電源端子と同じ配列で前記筐体に設けられ，前記電力量計の各電源端子の端子孔に挿入される前記各棒状端子に電気的に接続される電源端子と、前記電力量計の各負荷端子と同じ配列で前記筐体に設けられ，前記電力量計の各負荷端子の端子孔に挿入される前記各棒状端子に前記開閉器を介して電気的に接続される負荷端子とを備えていることを特徴とする遠方操作型給電制御装置。
【請求項２】
前記制御回路は、前記筐体内において、前記電力量計の電源端子に接続される前記棒状端子からその電源供給を受けていることを特徴とする請求項１に記載の遠方操作型給電制御装置。
【発明の詳細な説明】
【技術分野】
【０００１】
本発明は、電力量計を介して電力需要家へ供給される電力の給電を遠方から断続することの出来る遠方操作型給電制御装置に関するものである。
【背景技術】
【０００２】
従来、この種の遠方操作型給電制御装置としては、例えば、図１に外形が示される単相２線式のものがある。同図（ａ）はこの遠方操作型給電制御装置１０の側面図、同図（ｂ）はその平面図、同図（ｃ）はその正面図である。
【０００３】
遠方操作型給電制御装置１０は、一対のバネ状端子１ａ，１ｂ、ビニル絶縁電線の先端に設けられた一対の棒状圧着端子２ａ，２ｂ、および取り付けネジ３を備えている。図２（ａ）に示すように、電力量計４の端子台５の中央に設けられた端子台カバー用ネジ穴６に、取り付けネジ３が螺合することにより、遠方操作型給電制御装置１０は電力量計４に取り付けられる。
【０００４】
この際、棒状圧着端子２ａ，２ｂはバイパス端子７の端子孔に挿入され、一方の棒状圧着端子２ａはバイパス端子７を介して電力量計４の一方の負荷側端子８に接続される。また、他方の棒状圧着端子２ｂはバイパス端子７を介して負荷線９に接続される。このバイパス接続により、遠方操作型給電制御装置１０に内蔵された開閉器が負荷側端子８と負荷線９との間に直列接続され、開閉器の開閉によって電力量計４の負荷側への給電が断続される。
【０００５】
また、バネ状端子１ａ，１ｂは、それぞれが有する弾性力の接触圧で電力量計４の電源側端子１１，１２に接触し、遠方操作型給電制御装置１０に内蔵された制御回路に電源供給する。この制御回路は、上記の開閉器の開閉を制御する装置であり、遠方操作型給電制御装置１０に内蔵されたポケットベルに無線信号が受信されると、開閉器を閉じる制御を行う。
【０００６】
開閉器の開閉状態は、遠方操作型給電制御装置１０の前面に取り付けられたＬＥＤ１３（図１（ｂ）参照）の点灯状態で表示される。つまり、開閉器が閉じて負荷線９にかかる電圧が検出されると、ＬＥＤ１３が点灯し、需要家に給電が行われていることが表示される。
【０００７】
また、電力量計４からの遠方操作型給電制御装置１０の取り外しは、図２（ｂ）に示すようにバイパス端子７に短絡プラグ１４を差し込み、負荷側端子８と負荷線９との間を短絡した状態で行われる。また、図２（ｃ）に示す無停電バイパス工具１５を用いることによっても行える。つまり、無停電バイパス工具１５で電源側端子１１と負荷線９との間を短絡した状態で、遠方操作型給電制御装置１０を電力量計４から取り外す。このようにして行えば、需要家が停電することなく、電力量計４から遠方操作型給電制御装置１０を取り外すことが出来る。
【発明の開示】
【発明が解決しようとする課題】
【０００８】
しかしながら、上記従来の遠方操作型給電制御装置１０にあっては、無線信号を用いた遠方操作によって開閉器を閉じることが出来ない場合、例えば、ポケットベルの受信感度が変化したり、ポケットベルへの無線信号の発信が行えなかったり、また、各遠方操作型給電制御装置１０の個々の制御番号が不明になったり等した場合には、電力量計４が設置された需要家へ出向き、図２（ｂ）に示すように、バイパス端子７に短絡プラグ１４を差し込み、負荷側端子８に負荷線９をバイパス接続して需要家への給電を復電していた。従って、上記不具合が解消して無線信号を用いた遠方操作が可能になった場合、需要家への給電を停止するには、電力量計４が設置された需要家へ再度出向き、短絡プラグ１４を外さなければならなかった。
【０００９】
また、バイパス端子７および短絡プラグ１４を用いないくても、電力量計４から遠方操作型給電制御装置１０を取り外し、負荷側端子８の端子孔に負荷線９を挿入して電力量計４に直結することにより、需要家への給電を復電することも出来る。しかし、負荷線９のこのような結線作業は、電気工事の専門家でなければ行えず、例えば、各需要家が帰宅した夜間に復電要請が有った場合に、電気工事の知識がない電力会社の宿直人員等が行うことは出来ない。
【００１０】
また、上記従来の遠方操作型給電制御装置１０にあっては、開閉器の開閉状態は、負荷線９の検出電圧によってＬＥＤ１３が点灯されて表示されているため、遠方操作型給電制御装置１０が電力量計４に取り付けられる前や、電力量計４の電源端子１１，１２に電圧がかかっていないと、ＬＥＤ１３が点灯するための電源供給がないため、開閉器の開閉状態は分からなかった。開閉器の開閉状態が分からないまま遠方操作型給電制御装置１０を電力量計４に取り付けると、開閉器の開閉状態に応じて不要な停電や復電が従来起こっていた。
【００１１】
また、遠方操作型給電制御装置１０は、電気料金の滞納者宅に対する給電を停止したり、停止解除したりするため等に取り付けられるが、上記従来のようにＬＥＤ１３等の発光で表示すると、外観上、特に夜間等の暗いときには特殊な装置が電力量計４に取り付けられたことが容易に分かり、滞納者に悪戯されたり壊されたりする危険性が従来あった。
【００１２】
また、上記従来の遠方操作型給電制御装置１０にあっては、負荷線９にバイパス端子７が接続され、電力量計４の各端子に接続される電線が各端子の配列と同じ配列に整列されていないため、図２（ｃ）に示す遠方操作型給電制御装置１０の取り外し作業の際には、活線作業を１線ずつ行うための無停電バイパス工具１５という特殊な工具が必要とされた。従って、電力量計４の各電源端子および各負荷端子と同じ配列で押切ねじが配列され、この押切ねじで接続電線の被覆を破って全ての接続電線を一括でバイパス接続することが出来る、汎用的な無停電取替工具は従来使用出来なかった。また、無停電バイパス工具１５を用いた空中での１線ずつの結線作業は、電力量計４に接続される電線の長さに余裕がなく、無停電バイパス工具１５の端部に設けられた押切ねじで短絡することが出来る電線長が短いため、作業性が悪かった。
【００１３】
また、遠方操作型給電制御装置１０に内蔵された制御回路への電源供給は、バネ状端子１ａ，１ｂと電源側端子１１，１２との接触によって行われているため、電源側端子１１，１２のねじ頭部の経年変化や汚れ等によって接触不良が頻発していた。また、電源側端子１１，１２の端子孔に挿入される電線の太さによってねじ頭部の高さが変化することも、接触不良の一因になっていた。
【課題を解決するための手段】
【００１４】
本発明はこのような課題を解決するためになされたもので、電力量計の負荷側への給電を断続する開閉器と、この開閉器の開閉を制御する制御回路と、無線信号を受信すると開閉器を閉じる信号を制御回路へ出力する遠方操作信号受信器とからなる遠方操作型給電制御装置において、開閉器および制御回路を収容する筐体と、この筐体から突出して設けられ電力量計の各電源端子および各負荷端子の端子孔に挿入される棒状端子と、開閉器および制御回路を収容する筐体と、この筐体から突出して設けられ電力量計の各電源端子および各負荷端子の端子孔に挿入される棒状端子と、電力量計の各電源端子と同じ配列で筐体に設けられ，電力量計の各電源端子の端子孔に挿入される各棒状端子に電気的に接続される電源端子と、電力量計の各負荷端子と同じ配列で筐体に設けられ，電力量計の各負荷端子の端子孔に挿入される各棒状端子に開閉器を介して電気的に接続される負荷端子とを備えていることを特徴とする。
【００１５】
本構成においては、筐体から突出して設けられた棒状端子が電力量計の各端子の端子孔に挿入されることにより、遠方操作型給電制御装置の筐体が電力量計に取り付けられる。さらに、電力量計の各端子に接続されていた接続電線は、筐体に設けられた電源端子および負荷端子に挿入される。これら電源端子および負荷端子は電力量計の各電源端子および各負荷端子と同じ配列で設けられているため、接続電線は電力量計の各電源端子および各負荷端子に接続されていた場合と同様な配列で整列される。
【００１６】
また、本発明は、制御回路が、筐体内において、電力量計の電源端子に接続される棒状端子からその電源供給を受けていることを特徴とする。
【００１７】
本構成によれば、制御回路は筐体内の棒状端子から電源供給を受けるため、バネ状端子と電源端子との接触によって受けていた従来の電源供給に比較し、電源供給の信頼性は向上する。
【発明の効果】
【００１８】
以上説明したように本発明においては、筐体から突出して設けられた棒状端子が電力量計の各端子の端子孔に挿入されることにより、遠方操作型給電制御装置の筐体が電力量計に取り付けられる。さらに、電力量計の各端子に接続されていた接続電線は、筐体に設けられた電源端子および負荷端子に挿入される。これら電源端子および負荷端子は電力量計の各電源端子および各負荷端子と同じ配列で設けられているため、接続電線は電力量計の各電源端子および各負荷端子に接続されていた場合と同様な配列で整列される。
【００１９】
このため、電力量計の各電源端子および各負荷端子と同じ配列で押切ねじが配列され、この押切ねじで接続電線の被覆を破って全ての接続電線を一括でバイパス接続することが出来る、汎用的な無停電取替工具を使用し、遠方操作型給電制御装置を電力量計に取り付けたり、取り外すことが可能になる。従って、作業性が悪かった空中での１線ずつの結線作業を行う必要が無くなり、遠方操作型給電制御装置を電力量計に着脱する作業の作業性は向上する。
【００２０】
また、本発明によれば、制御回路は筐体内の棒状端子から電源供給を受けるため、バネ状端子と電源端子との接触によって受けていた従来の電源供給に比較し、電源供給の信頼性は向上する。
【発明を実施するための最良の形態】
【００２１】
次に、本発明による遠方操作型給電制御装置の一実施形態について説明する。
【００２２】
図３（ａ）は本実施形態による単相２線式計器用の遠方操作型給電制御装置２０の結線図、同図（ｂ）は本実施形態による単相３線式計器用の遠方操作型給電制御装置２０’の結線図である。
【００２３】
遠方操作型給電制御装置２０，２０’は、電力量計２１，２１’の負荷側への給電を断続する開閉器２２，２２’と、この開閉器２２，２２’の開閉を制御する制御回路２３，２３’とを備えている。制御回路２３，２３’は、単２計器，単３計器ともに電力量計２１，２１’の電源端子１Ｓ，２Ｓから電源供給を受けている。また、単２計器における開閉器２２は負荷端子１Ｌに設けられており、単３計器における開閉器２２’は負荷端子１Ｌ，３Ｌの２カ所に設けられている。
【００２４】
図４（ａ）は、制御回路２３，２３’とポケットベル２４との結線図である。ポケットベル２４は、無線信号を受信すると開閉器２２，２２’を閉じる信号を信号線２５を介して制御回路２３，２３’へ出力する遠方操作信号受信器である。
【００２５】
制御回路２３，２３’は、一端が直流１２[Ｖ]の制御電源電圧に吊り上げられ、他端が外部端子２３ａに接続されたソレノイド２６と保護ダイオード２７との直列接続回路からなる。ソレノイド２６は通電されると開閉器２２，２２’を閉じる。ポケットベル２４は、コレクタ・エミッタ回路が外部端子２３ａに接続されたトランジスタ２８を内蔵し、無線信号を受信するとこのトランジスタ２８をオンしてソレノイド２６とダイオード２７との直列接続回路に通電する。制御回路２３，２３’は通電されると開閉器２２，２２’を閉じる信号を発生する。
【００２６】
外部端子２３ａには、操作されると開閉器２２，２２’を閉じる信号を発生する強制投入スイッチ２９が接続されている。この強制投入スイッチ２９は、押操作されると接点を閉じ、押操作が止められても接点を閉じた状態を維持するタクト・スイッチである。
【００２７】
制御回路２３，２３’は、同図（ｂ）に示すように、一端が直流１２[Ｖ]の制御電源電圧に吊り上げられ、他端が外部端子２３ａに接続された抵抗２６’と発光ダイオード２７’との直列接続回路から構成してもよい。この場合、ポケットベル２４内のトランジスタ２８がオンするか、または強制投入スイッチ２９が入れられると、抵抗２６’と発光ダイオード２７’とに電流が流れ、発光ダイオード２７’が発光する。開閉器２２，２２’を駆動する図示しないソレノイドは、この発光ダイオード２７’の発光を受けて作動し、開閉器２２，２２’を閉じる。なお、同図（ｂ）において、同図（ａ）と同一部分には同一符号を付してその説明は省略する。
【００２８】
図５（ａ）は本実施形態による単相２線式計器用の遠方操作型給電制御装置２０の側面図、同図（ｂ），（ｃ）はその正面図である。遠方操作型給電制御装置２０は、単相２線式計器用および単相３線式計器用共に原理が同じため、以後、単相２線式計器用について説明する。
【００２９】
開閉器２２および制御回路２３は一つの筐体３１内に納められている。この筐体３１からは４本の棒状端子３２ａ〜３２ｄが突出して設けられており、これら棒状端子３２ａ〜３２ｄは電力量計２１の各電源端子１Ｓ，２Ｓおよび各負荷端子１Ｌ，２Ｌの端子孔に挿入される。電源端子３３ａ，３３ｂおよび負荷端子３３ｃ，３３ｄは、電力量計２１の各電源端子１Ｓ，２Ｓおよび各負荷端子１Ｌ，２Ｌと同じ配列で筐体３１に設けられている。
【００３０】
電源端子３３ａ，３３ｂは、電力量計２１の各電源端子１Ｓ，２Ｓの端子孔に挿入される各棒状端子３２ａ，３２ｂに電気的に接続されており、負荷端子３３ｃ，３３ｄは、電力量計２１の各負荷端子１Ｌ，２Ｌの端子孔に挿入される各棒状端子３２ｃ，３２ｄに開閉器２２を介して電気的に接続されている（図３（ａ）参照）。電源端子３３ｂと負荷端子３３ｃとの間には穴３４が開口しており、強制投入スイッチ２９の操作部はこの穴３４の奥に露出している。
【００３１】
また、筐体３１の側面には同図（ａ）に示すように面ファスナ３５が貼られている。同図（ｂ）はポケットベル２４の１方向の外表面に貼られた面ファスナ３６が、筐体３１の外表面に貼られた面ファスナ３５に着脱自在に係合して筐体３１に取り付けられた状態を示している。また、同図（ｃ）は、ポケットベル２４の他方向の外表面に貼られた面ファスナ３７が、筐体３１の外表面に貼られた面ファスナ３５に着脱自在に係合して筐体３１に取り付けられた状態を示している。
【００３２】
図６（ａ）は、棒状端子３２ａ〜３２ｄが強化耐候型電力量計２１の各電源端子１Ｓ，２Ｓおよび各負荷端子１Ｌ，２Ｌの端子孔に挿入され、遠方操作型給電制御装置２０が電力量計２１に取り付けられた状態の一部破断正面図であり、同図（ｂ）はその一部破断側面図である。遠方操作型給電制御装置２０は、ポケットベル２４および筐体３１共に、電力量計２１の端子カバー４１に覆われている。端子カバー４１は封印用ネジ４２によって電力量計２１に取り付けられている。
【００３３】
遠方操作型給電制御装置２０の電力量計２１への取り付けおよび取り外しは、図７に示す汎用的な無停電取替工具４５を用いて行われ、需要家が停電することなく行われる。同図（ａ）は無停電取替工具４５の平面図、同図（ｂ）はその正面図である。
【００３４】
この無停電取替工具４５には、電力量計２１の各電源端子１Ｓ，２Ｓおよび各負荷端子１Ｌ，２Ｌと同じ配列で押切ねじ４６ａ〜４６ｄが配列されている。無停電取替工具４５の取り付けは、固定台４７に形成された溝に電力量計２１への接続電線を挿入し、吊り下げフック４８をケーブル等に引っ掛けることによって行われる。次に、バイパス本体４９を固定台４７に合わせて取り付け、蝶ねじ５０，中央ねじ５１の順で締め付けて固定する。
【００３５】
次に、トグルスイッチ５２をオフとし、押切ねじ４６ａ，４６ｂを締め付けると、電力量計２１の電源端子１Ｓ，２Ｓに接続されている電線の被覆が破け、表示灯５３ａが点灯する。次に、押切ねじ４６ｃ，４６ｄを締め付けると、電力量計２１の負荷端子１Ｌ，２Ｌに接続されている電線の被覆が破け、表示灯５３ｂが点灯し、電力量計２１への接続電線をバイパスする回路が形成される。最後にトグルスイッチ５２をオンにし、このバイパス回路に通電される。
【００３６】
遠方操作型給電制御装置２０の電力量計２１への取り付けは、まず、既設の電力量計２１に上記の無停電取替工具４５を取り付け、上記のようにしてバイパス回路を形成することによって行われる。バイパス回路が形成されると、電力量計２１から接続電線を取り外し、遠方操作型給電制御装置２０の電源端子３３ａ，３３ｂおよび負荷端子３３ｃ，３３ｄに取り外した接続電線を取り付ける。
【００３７】
図８（ａ）はこの際の遠方操作型給電制御装置２０と無停電取替工具４５との状態を示す正面図、同図（ｂ）はその側面図である。なお、同図において接続電線の図示は省いており、また、同図において図５および図７と同一部分には同一符号を付してその説明は省略する。接続電線の軸方向の中心は、同図（ｂ）に示す固定台４７とバイパス本体４９との接続面に一致しており、また、各端子３３ａ〜３３ｄの端子孔の中心に一致している。
【００３８】
図９（ａ）は棒状端子３２ａ〜３２ｄの側面図、同図（ｂ）はその正面図、同図（ｃ）はその平面図である。棒状端子３２ａ〜３２ｄは、筐体３１内に納められる一端に回り止めが形成されている。つまり、この一端の側面に面取りＣが形成されている。棒状端子３２ａ〜３２ｄのこの一端は、同図（ｄ）に断面図、同図（ｅ）に正面図が示されるＬ型金具５１に開口した扇形状の穴５１ａに挿入される。そして、同図（ｆ）の組み立て図に示すように、棒状端子３２ａ〜３２ｄの一端に切られた雄ネジ溝にナット５２が螺合して棒状端子３２ａ〜３２ｄがＬ型金具５１に固定される。この組立部品は、図８（ｂ）に示すように、Ｌ型金具５１に開口した他方の穴５１ｂにねじ５３が挿入されて各端子３３ａ〜３３ｄに固定され、筐体３１に固定される。
【００３９】
図１０（ａ）は、遠方操作型給電制御装置２０の筐体３１の底蓋を開けた状態を示す平面図であり、制御回路２３を組み込む前の筐体３１の組立途中の状態を示している。
【００４０】
開閉器２２は、先端に接点が溶接された可動片６１と、同じく先端に接点が溶接された固定片６２とからなる。可動片６１は軸６３を中心に回動し、バネ６４によってその接点が固定片６２の接点に押圧されている。開閉器２２の下方には通電されるとこの開閉器２２を駆動する中空円筒状のソレノイド２６が設けられている。このソレノイド２６の中空部には鉄心６５が挿入されており、ソレノイド２６に通電されると鉄心６５はソレノイド２６に吸引される。
【００４１】
鉄心６５には黄色の樹脂からなる表示部材６６が連なって設けられており、この表示部材６６は鉄心６５に連動する。表示部材６６は、鉄心６５がソレノイド２６に吸引された時に窓６７（図５参照）を介して観察される。窓６７は透明部材６８の左半分に開いている。つまり、鉄心６５および表示部材６６はバネ６９の弾性力によって図の右方に引っ張られており、通常同図（ａ）に示す状態にあるが、鉄心６５がソレノイド２６に吸引されると、表示部材６６は、同図（ｂ）に示すように、バネ６９の弾性力に抗して鉄心６５と共に図の左方に移動し、窓６７を介して観察される。ここで、筐体３１内に納められたバネ６９は、鉄心６５の吸引時と非吸引時とで異なる位置に鉄心６５を機械的に保持する鉄心保持手段を構成している。
【００４２】
ソレノイド２６は通電されると鉄心６５を吸引し、同図（ｂ）に示すようにリンク７０を跳ね上げて可動片６１を持ち上げ、可動片６１の接点を固定片６２の接点から開離させる。接点がこのように開離すると、需要家への給電が断たれる。
【００４３】
また、棒状端子３２ａ，３２ｂにつながるねじ５３からは一対のリード線７１ａ，７１ｂが引き出されている。このリード線７１ａ，７１ｂは制御回路２３を構成する電子回路基板の電源ラインに接続される。つまり、制御回路２３は、筐体３１内において、電力量計２１の電源端子１Ｓ，２Ｓに接続される棒状端子３２ａ，３２ｂからその電源供給を受けている。
【００４４】
以上のような本実施形態による遠方操作型給電制御装置２０においては、強制投入スイッチ２９を単に投入操作することにより、従来のように結線作業を行うことなく、各需要家への復電を行える。このため、各需要家が帰宅した夜間に復電要請が有った場合、電気工事の知識がない電力会社の宿直人員等であっても容易にかつ迅速に復電させることが可能になる。
【００４５】
また、本実施形態では、需要家への復電および停電は強制投入スイッチ２９を単に操作することによって簡単にかつ迅速に行える。このため、無線信号を用いた遠方操作が一旦行えなくなり、その後可能になった場合、需要家への給電を停止するには、従来の遠方操作型給電制御装置１０では、電力量計４が設置された需要家へ再度出向き、短絡プラグ１４をバイパス端子７から外すといった手間のかかる作業を要したが、本実施形態では遠隔操作によって直ぐに行える。
【００４６】
また、本実施形態では、鉄心６５の動きは、バネ６９によって吸引時と非吸引時とで異なる位置に機械的に保持され、しかも、筐体３１の窓６７を介して観察されるため、ソレノイド２６に通電されているか否か、つまり、開閉器２２が開状態にされているのかまたは閉状態にされているのかは、窓６７を介して鉄心６５の動きを見ることによって分かる。本実施形態では、鉄心６５に連動する表示部材６６が設けられており、この表示部材６６は、鉄心６５がソレノイド２６に吸引された時に窓６７を介して観察されるため、開閉器２２の開閉状態は黄色の表示部材６６が窓６７に現れるか現れないかによって分かる。
【００４７】
本構成によれば、このように開閉器２２の開閉状態は電源供給を受けることなく機械的に表示されるため、遠方操作型給電制御装置２０が電力量計２１に取り付けられる前や、電源供給を受けていない場合であっても、遠方操作型給電制御装置２０に内蔵された開閉器２２の開閉状態は分かる。よって、遠方操作型給電制御装置２０を電力量計２１に取り付ける際、従来のように、不要な停電や復電が起こることはない。また、夜間等の暗いときに発光して特殊な装置が電力量計に取り付けられていることが容易に分かる、従来のＬＥＤを用いた表示方式とは異なるため、滞納者に悪戯されたり壊されたりする危険性は少なくなる。
【００４８】
なお、本実施形態においては、鉄心６５に連動する表示部材６６が設けられている場合について説明したが、表示部材６６は必ずしも必要ではない。つまり、表示部材６６を設けなくても、筐体３１に設けられた窓に鉄心６５の動きが観察される構造であればよい。
【００４９】
また、本実施形態においては、筐体３１から突出して設けられた棒状端子３２ａ〜３２ｄが電力量計２１の各端子の端子孔に挿入されることにより、遠方操作型給電制御装置２０の筐体３１が電力量計２１に取り付けられる。さらに、電力量計２１の各端子に接続されていた接続電線は、筐体３１に設けられた電源端子３３ａ，３３ｂおよび負荷端子３３ｃ，３３ｄに挿入される。これら電源端子３３ａ，３３ｂおよび負荷端子３３ｃ，３３ｄは電力量計２１の各電源端子１Ｓ，２Ｓおよび各負荷端子１Ｌ，２Ｌと同じ配列で設けられているため、接続電線は電力量計の各電源端子１Ｓ，２Ｓおよび各負荷端子１Ｌ，２Ｌに接続されていた場合と同様な配列で整列される。
【００５０】
このため、電力量計２１の各電源端子１Ｓ，２Ｓおよび各負荷端子１Ｌ，２Ｌと同じ配列で押切ねじ４６ａ〜４６ｄが配列され、この押切ねじ４６ａ〜４６ｄで接続電線の被覆を破って全ての接続電線を一括でバイパス接続することが出来る、汎用的な無停電取替工具４５を使用し、遠方操作型給電制御装置２０を電力量計２１に取り付けたり、取り外すことが可能になる。従って、作業性が悪かった空中での１線ずつの結線作業を行う必要が無くなり、遠方操作型給電制御装置２０を電力量計２１に着脱する作業の作業性は向上する。
【００５１】
また、本実施形態では、前述したように、筐体３１内に納められる一端に回り止めが形成され、この一端に切られた雄ネジ溝にナット５２が螺合して棒状端子３２ａ〜３２ｄが筐体３１に固定される構造をしているため、筐体３１に外部からの力が加わっても、棒状端子３２ａ〜３２ｄの一端に形成された回り止めにより、棒状端子３２ａ〜３２ｄの筐体３１に対する固定に緩みは生じない。
【００５２】
また、本実施形態では、前述したように、制御回路２３が、筐体３１内において、電力量計２１の電源端子１Ｓ，２Ｓに接続される棒状端子３２ａ，３２ｂからその電源供給を受けているため、バネ状端子と電源端子１Ｓ，２Ｓとの接触によって受けていた従来の電源供給に比較し、電源供給の信頼性は向上する。
【００５３】
また、本実施形態においては、図８（ａ）に示すように、ポケットベル２４の外表面に貼られた面ファスナ３６，３７のうち、ポケットベル２４の取り付けが無停電取替工具４５に邪魔にならない向きの面ファスナ３７を筐体３１側の面ファスナ３５に係合させることが可能となる。このため、無停電取替工具４５を用いた計器取替作業は円滑に行われる。
【図面の簡単な説明】
【００５４】
【図１】（ａ）は従来の遠方操作型給電制御装置の側面図、同図（ｂ）はその平面図、同図（ｃ）はその正面図である。
【図２】（ａ）は従来の遠方操作型給電制御装置の電力量計への取り付け方を示す正面図、（ｂ）はバイパス端子を用いた従来の遠方操作型給電制御装置の電力量計からの取り外し方を示す正面図、（ｃ）は無停電バイパス工具を用いた従来の遠方操作型給電制御装置の電力量計からの取り外し方を示す正面図である。
【図３】（ａ）は本実施形態による単相２線式計器用の遠方操作型給電制御装置の結線図、（ｂ）は本実施形態による単相３線式計器用の遠方操作型給電制御装置の結線図である。
【図４】（ａ）は本実施形態による遠方操作型給電制御装置の制御回路とポケットベルとの結線図、（ｂ）は制御回路とポケットベルとの他の結線図である。
【図５】（ａ）は本実施形態による単相２線式計器用の遠方操作型給電制御装置の側面図、（ｂ），（ｃ）はその正面図である。
【図６】（ａ）は、本実施形態による遠方操作型給電制御装置が電力量計に取り付けられた状態の一部破断正面図であり、（ｂ）はその一部破断側面図である。
【図７】（ａ）は汎用的な無停電取替工具の平面図、同図（ｂ）はその正面図である。
【図８】（ａ）は本実施形態による遠方操作型給電制御装置に無停電取替工具が取り付けられた状態を示す正面図、同図（ｂ）はその側面図である。
【図９】（ａ）は本実施形態による遠方操作型給電制御装置の棒状端子の側面図、（ｂ）はその正面図、（ｃ）はその平面図、（ｄ）は本実施形態による遠方操作型給電制御装置のＬ型金具の断面図、（ｅ）はその正面図、（ｆ）は棒状端子とＬ型金具との組み立て図である。
【図１０】（ａ）は本実施形態による遠方操作型給電制御装置の筐体の底蓋を開けた状態を示す平面図、（ｂ）は鉄心がソレノイドに吸引された時の筐体の内部を示す一部破断平面図である。
【符号の説明】
【００５５】
２０…遠方操作型給電制御装置
２１，２１’…電力量計
２２，２２’…開閉器
２３，２３’…制御回路
２４…ポケットベル
２５…信号線
２６…ソレノイド
２６’…抵抗
２７…保護ダイオード
２７’…発光ダイオード
２８…トランジスタ
２９…強制投入スイッチ
３１…筐体
３２ａ〜３２ｄ…棒状端子
３３ａ，３３ｂ…電源端子
３３ｃ，３３ｄ…負荷端子
３４…穴
３５，３６，３７…面ファスナ
４５…無停電取替工具
４６ａ〜４６ｄ…押切ねじ
５２…ナット
６５…可動鉄心
６６…表示部材
６７…窓
６９…バネ
【図１】
2009136144.tif 000003
【図２】
2009136144.tif 000004
【図３】
2009136144.tif 000005
【図４】
2009136144.tif 000006
【図５】
2009136144.tif 000007
【図６】
2009136144.tif 000008
【図７】
2009136144.tif 000009
【図８】
2009136144.tif 000010
【図９】
2009136144.tif 000011
【図１０】
2009136144.tif 000012